(57)【特許請求の範囲】
【請求項１】
ユーザ毎にパスワードを求める手段と、
記憶媒体に記憶された録画済みコンテンツの番組関連情報を受信する第１の受信手段と、
前記録画済みコンテンツの重要度情報を受信する第２の受信手段と、
前記録画済みコンテンツの番組関連情報およびユーザが選択可能な前記重要度情報に基づいて、番組欄表示形式の番組表の画像を作成する作成手段であって、異なる重要度の録画済みコンテンツの番組欄の表示形式を、面積、色、フォント、背景模様、３Ｄ表示のオン／オフのうち１または２以上の組み合わせによって異ならせて前記番組表の画像をユーザ毎に作成する前記作成手段と、
前記番組表の画像を出力する出力手段と、
過去の番組であって前記記録媒体に記録されていない番組の番組欄を前記番組表上で非表示とする手段と、
を備える番組表作成装置。
【請求項２】
前記第２の受信手段は、前記重要度情報としてネットワークを介して視聴率情報を受信する請求項１に記載の番組表作成装置。
【請求項３】
前記第２の受信手段は、前記重要度情報としてネットワークを介してウェブページ上で利用者が作成した情報を受信する請求項１に記載の番組表作成装置。
【請求項４】
前記第２の受信手段は、選択された標本化空間から前記利用者が作成した情報を受信する請求項１記載の番組表作成装置。
【請求項５】
選択されたチャンネルの放送信号を受信する第３の受信手段と、
前記第３の受信手段で受信した前記放送信号に基づいて映像を表示する表示手段と、
を有し、
前記第２の受信手段は、前記重要度情報として前記番組表作成装置の電源オン／オフ情報及びチャンネル選択情報を受信する請求項１に記載の番組表作成装置。
【請求項６】
前記記憶媒体を更に備える請求項１に記載の番組表作成装置。
【請求項７】
ユーザ毎にパスワードを求め、
記憶媒体に記憶された録画済みコンテンツの番組関連情報を受信し、
前記録画済みコンテンツの重要度情報を受信し、
前記録画済みコンテンツの番組関連情報およびユーザが選択可能な前記重要度情報に基づいて、番組欄表示形式の番組表の画像を作成するものであって、異なる重要度の録画済みコンテンツの番組欄の表示形式、面積、色、フォント、背景模様、３Ｄ表示のオン／オフのうち１または２以上の組み合わせによって異ならせて前記番組表の画像をユーザ毎に作成し、
前記番組表の画像を出力し、
過去の番組であって前記記録媒体に記録されていない番組の番組欄を前記番組表上で非表示とする、
番組表作成方法。
【請求項８】
ユーザ毎にパスワードを求める機能と、
記憶媒体に記憶された録画済みコンテンツの番組関連情報を受信する機能と、
前記録画済みコンテンツの重要度情報を受信する機能と、
前記録画済みコンテンツの番組関連情報およびユーザが選択可能な前記重要度情報に基づいて、番組欄表示形式の番組表の画像を作成するものであって、異なる重要度の録画済みコンテンツの番組欄の表示形式を、面積、色、フォント、背景模様、３Ｄ表示のオン／オフのうち１または２以上の組み合わせによって異ならせて前記番組表の画像をユーザ毎に作成する機能と、
前記番組表の画像を出力する機能と、
過去の番組であって前記記録媒体に記録されていない番組の番組欄を前記番組表上で非表示とする機能と、
をコンピュータに実現させるプログラム。
【請求項９】
ユーザ毎にパスワードを求める手段と、
記憶媒体に記憶された録画済みコンテンツの番組関連情報を受信する第１の受信手段と、
前記録画済みコンテンツの重要度情報を受信する第２の受信手段と、
前記録画済みコンテンツの番組関連情報およびユーザが選択可能な前記重要度情報に基づいて、番組欄表示形式の番組表の画像を作成する作成手段であって、異なる重要度の録画済みコンテンツの番組欄の表示形式を、面積、色のうち１または２つの組み合わせによって異ならせて前記番組表の画像を作成するとともに、前記番組表の画像を、ユーザ毎に作成する前記作成手段と、
前記番組表の画像を出力する出力手段と、
過去の番組であって前記記録媒体に記録されていない番組の番組欄を前記番組表上で非表示とする手段と、
を備える番組表作成装置。
【請求項１０】
ユーザ毎にパスワードを求め、
記憶媒体に記憶された録画済みコンテンツの番組関連情報を受信し、
前記録画済みコンテンツの重要度情報を受信し、
前記録画済みコンテンツの番組関連情報およびユーザが選択可能な前記重要度情報に基づいて、番組欄表示形式の番組表の画像を作成するものであって、異なる重要度の録画済みコンテンツの番組欄の表示形式を、面積、色のうち１または２つの組み合わせによって異ならせて前記番組表の画像をユーザ毎に作成し、
前記番組表の画像を出力し、
過去の番組であって前記記録媒体に記録されていない番組の番組欄を前記番組表上で非表示とする、
番組表作成方法。
【発明の詳細な説明】
【技術分野】
【０００１】
本発明の実施形態は、番組表を作成する番組表作成装置、番組表作成方法、およびプログラムに関する。
【背景技術】
【０００２】
近年、放送受信装置に搭載または外付けで大容量のＨＤＤ(Hard Disk Drive)が取り付けられるようになっている。さらに、地上デジタル放送用のチューナが複数搭載されている放送受信装置は、複数のチューナを並列動作させることが可能である。そのため、放送受信装置は、一定期間、同時刻に日本国内の地上デジタル放送の複数のチャンネルを録画（以降、マルチチャンネル同時自動録画と称す）することが可能である。
【０００３】
このように放送受信装置に録画されているコンテンツの番組情報は、種々のインタフェースを用いてユーザに通知され得る。一つの有力な方法は、例えば番組を放送した放送局を横方向に配列し、番組が放送される放送時刻を縦方向に配列して、マトリックス状に放送された各番組を表示するラジオテレビ欄（以降、ラテ欄と称す）形式で表示器に番組表を表示することである。例えば、放送受信装置は、録画済みのコンテンツとそれ以外のコンテンツに分けてラテ欄形式で番組表を表示器に表示する。これにより、ユーザは、放送受信装置に録画されているコンテンツを探索・参照する際に、コンテンツの番組情報を見慣れたラテ欄形式で閲覧することができる。
【０００４】
放送受信装置に搭載または外付けされるＨＤＤの容量が増えれば増えるほど、放送受信装置は、録画可能な時間数／チャンネル数、つまりは録画されるコンテンツ数を増やしてマルチチャンネル同時自動録画を行うことができる。
【先行技術文献】
【特許文献】
【０００５】
【特許文献１】特開２００７−２４３３０２号公報
【発明の概要】
【発明が解決しようとする課題】
【０００６】
しかしながら、録画されるコンテンツ数が増加するにつれ、ユーザにとっては、所望の（興味を惹く）録画済みのコンテンツを一見してラテ欄形式の番組表から見つけることは難しくなるとなる。例えば、ユーザは、番組表を過去に遡らせると共に、所望の（興味を惹く）コンテンツを見つけるために全ての番組をつぶさに確認する必要がある。
【０００７】
そこで、この発明は、ユーザにとって利便性のよい番組表を作成する番組表作成装置、番組表作成方法、およびプログラムを提供することを目的とする。
【課題を解決するための手段】
【０００８】
実施形態によれば、ユーザ毎にパスワードを求める手段と、記憶媒体に記憶された録画済みコンテンツの番組関連情報を受信する第１の受信手段と、前記録画済みコンテンツの重要度情報を受信する第２の受信手段と、前記録画済みコンテンツの番組関連情報およびユーザが選択可能な前記重要度情報に基づいて、番組欄表示形式の番組表の画像を作成する作成手段であって、異なる重要度の録画済みコンテンツの番組欄の表示形式を、面積、色、フォント、背景模様、３Ｄ表示のオン／オフのうち１または２以上の組み合わせによって異ならせて前記番組表の画像をユーザ毎に作成する前記作成手段と、前記番組表の画像を出力する出力手段と、過去の番組であって前記記録媒体に記録されていない番組の番組欄を前記番組表上で非表示とする手段と、を備える。
【０００９】
を備える番組表作成装置。
【図面の簡単な説明】
【００１０】
【図１】実施形態に係るデジタルテレビジョン放送受信装置の概略構成を示すブロック図。
【図２】実施形態に係るリモートコントローラの概観を示す図。
【図３】実施形態に係る話題性情報の種別を示す図。
【図４】実施形態に係る利用時間テーブルを示す図。
【図５】実施形態に係る表示形式マッピングテーブルを示す図。
【図６】実施形態に係る番組表の表示例を示す図。
【発明を実施するための最良の形態】
【００１１】
以下、図面を参照し、本実施形態について説明する。図１は、本実施形態に係るデジタルテレビジョン放送受信装置１（以降、放送受信装置１と称す）の概略構成を示すブロック図である。すなわち、ＢＳ／ＣＳデジタル放送受信用のアンテナで受信した衛星デジタルテレビジョン放送信号は、入力端子１１を介して衛星デジタル放送チューナ１２に供給される。衛星デジタル放送チューナ１２は、所望のチャンネルの放送信号を選局する。
【００１２】
そして、衛星デジタル放送チューナ１２で選局された放送信号は、ＰＳＫ（phase shift keying）復調モジュール１３に供給されて、デジタルの映像信号及び音声信号に復調された後、信号処理モジュール１４に出力される。
【００１３】
また、地上波放送受信用のアンテナ１５で受信した地上デジタルテレビジョン放送信号は、入力端子１６を介して視聴用地上デジタル放送チューナ１７に供給される。視聴用地上デジタル放送チューナ１７は、ユーザが所望するチャンネルの放送信号を切り替えて選局する。視聴用地上デジタル放送チューナ１７は、選択された放送信号の受信手段として機能する。視聴用地上デジタル放送チューナ１７で選局された放送信号は、ＯＦＤＭ（orthogonal frequency division multiplexing）復調モジュール１８に供給されて、デジタルの映像信号及び音声信号に復調された後、上記信号処理モジュール１４に出力される。
【００１４】
第１の録画用地上デジタル放送チューナ１９で選局された放送信号は、ＯＦＤＭ復調モジュール２０に供給されて、デジタルの映像信号及び音声信号に復調された後、上記信号処理モジュール１４に出力される。
【００１５】
第２の録画用地上デジタル放送チューナ２１とＯＦＤＭ復調モジュール２２の組、第３の録画用地上デジタル放送チューナ２３とＯＦＤＭ復調モジュール２４の組、第４の録画用地上デジタル放送チューナ２５とＯＦＤＭ復調モジュール２６の組、第５の録画用地上デジタル放送チューナ２７とＯＦＤＭ復調モジュール２８の組、第６の録画用地上デジタル放送チューナ２９とＯＦＤＭ復調モジュール３０の組、第７の録画用地上デジタル放送チューナ３１とＯＦＤＭ復調モジュール３２の組、第８の録画用地上デジタ放送チューナ３３とＯＦＤＭ復調モジュール３４の組についても同様である。
【００１６】
本実施形態では、放送受信装置１が、録画用地上デジタル放送チューナを８つ備えるケースについて説明するが、録画用地上デジタル放送チューナを７つ以下または９以上備える構成としてもよい。第１の録画用地上デジタル放送チューナ１９から第８の録画用地上デジタ放送チューナ３３は、放送信号の受信手段として機能する。
【００１７】
上記信号処理モジュール１４は、ＰＳＫ復調モジュール１３、ＯＦＤＭ復調モジュール１８、ＯＦＤＭ復調モジュール２０、ＯＦＤＭ復調モジュール２２、ＯＦＤＭ復調モジュール２４、ＯＦＤＭ復調モジュール２６、ＯＦＤＭ復調モジュール２８、ＯＦＤＭ復調モジュール３０、ＯＦＤＭ復調モジュール３２、ＯＦＤＭ復調モジュール３４からそれぞれ供給されたデジタルの映像信号及び音声信号に対して、選択的に所定のデジタル信号処理を施し、グラフィック処理モジュール３６及び音声処理モジュール３９に出力している。
【００１８】
また、上記信号処理モジュール１４には、複数（図示の場合は４つ）の入力端子３５ａ，３５ｂ，３５ｃ，３５ｄが接続されている。これら入力端子３５ａ〜３５ｄは、それぞれ、アナログの映像信号及び音声信号を、放送受信装置１の外部から入力可能とするものである。
【００１９】
この信号処理モジュール１４は、各入力端子３５ａ〜３５ｄからそれぞれ供給されたアナログの映像信号及び音声信号を選択的にデジタル化し、そのデジタル化された映像信号及び音声信号に対して所定のデジタル信号処理を施した後、グラフィック処理モジュール３６及び音声処理モジュール３９に出力している。
【００２０】
このうち、グラフィック処理モジュール３６は、信号処理モジュール１４から供給されるデジタルの映像信号に、ＯＳＤ（on screen display）信号生成モジュール３７で生成されるＯＳＤ信号を重畳して出力する機能を有する。このグラフィック処理モジュール３６は、信号処理モジュール１４の出力映像信号と、ＯＳＤ信号生成モジュール３７の出力ＯＳＤ信号とを選択的に出力すること、また、両出力をそれぞれ画面の半分を構成するように組み合わせて出力することができる。
【００２１】
グラフィック処理モジュール３６から出力されたデジタルの映像信号は、映像処理モジュール３８に供給される。映像処理モジュール３８により処理された映像信号は、表示器６１に供給され、また出力端子４１にも供給される。表示器６１は、映像信号に基づく映像を表示し、出力端子４１に対して外部機器が接続されると、出力端子４１に供給された映像信号は、外部機器へ入力される。表示器６１は、ユーザがリモートコントローラ１０を用いて選択したチャンネルに切り替えて視聴用地上デジタル放送チューナ１７によって選局された放送信号に基づいて番組の映像を表示する。表示器６１は、映像の表示手段として機能する。
【００２２】
また、上記音声処理モジュール３９は、入力されたデジタルの音声信号を、スピーカ６２で再生可能なフォーマットのアナログ音声信号に変換した後、スピーカ６２に出力して音声再生させるとともに、出力端子４０を介して外部に導出させる。
【００２３】
ここで、この放送受信装置１は、上記した各種の受信動作を含むその全ての動作を制御モジュール４２によって統括的に制御されている。この制御モジュール４２は、ＣＰＵ（central processing unit）等を内蔵しており、操作モジュール６３からの操作情報、または、リモートコントローラ１０から送出され受光モジュール６５を介して受信した操作情報を受けて、その操作内容が反映されるように各モジュールをそれぞれ制御している。
【００２４】
制御モジュール４２は、主として、そのＣＰＵが実行する制御プログラムを格納したＲＯＭ（read only memory）４３と、該ＣＰＵに作業エリアを提供するＲＡＭ（random access memory）４４と、各種の設定情報及び制御情報等が格納される不揮発性メモリ４５とを利用している。
【００２５】
不揮発性メモリ４５は、過去、現在または未来の番組情報を記憶する。不揮発性メモリ４５は番組情報記憶手段として機能する。番組情報は、放送時刻／チャンネル／番組名／出演者などの情報を含む。番組情報は、過去、現在、未来の番組表を表示するためのマスタデータである。制御モジュール４２は、放送信号に含まれるＳＩ（service information）から番組情報を取得する。不揮発性メモリ４５は、過去の番組情報として、内蔵ＨＤＤ４６に保存されているコンテンツの番組情報のみを記憶するようにしてもよい。内蔵ＨＤＤ４６は、記憶媒体として機能する。
【００２６】
信号処理モジュール１４には、内蔵ＨＤＤ（hard disk drive）４６が接続されている。内蔵ＨＤＤ４６は、後述するマルチチャンネル同時自動録画により、第１の録画用地上デジタル放送チューナ１９から第８の録画用地上デジタル放送チューナ３３それぞれで選局した放送信号のコンテンツの映像信号及び音声信号を記憶する。本実施形態では、放送受信装置１が、内蔵ＨＤＤを１つ備えるケースについて説明するが、内蔵ＨＤＤを２つ以上備える構成としてもよい。
【００２７】
また、この制御モジュール４２は、カードＩ／Ｆ（Interface）４７を介して、メモリカード６６が装着可能なカードホルダ４８に接続されている。これによって、制御モジュール４２は、カードホルダ４８に装着されたメモリカード６６と、カードＩ／Ｆ４７を介して情報伝送を行なうことができる。
【００２８】
また、制御モジュール４２は、通信Ｉ／Ｆ４９を介してＬＡＮ(local area network)端子６７に接続されている。通信Ｉ／Ｆ４９は、ＬＡＮ端子６７を介した有線接続の例を示しているがこれに限られない。通信Ｉ／Ｆ４９は、物理的にはＥｔｈｅｒｎｅｔ（登録商標）／無線ＬＡＮなどで実現されてもよい。通信Ｉ／Ｆ４９は、ソフトウエアプロトコルスタックとあわせてインターネットヘのアクセス機能を提供する。これにより、制御モジュール４２は、通信Ｉ／Ｆ４９を介してインターネットから情報伝送できる。
【００２９】
また、制御モジュール４２は、ＵＳＢ（universal serial bus） Ｉ／Ｆ５０を介してＵＳＢ端子６８に接続されている。これにより、制御モジュール４２は、ＵＳＢ端子６８に接続されたＵＳＢ対応の外付けＨＤＤと、ＵＳＢ Ｉ／Ｆ５０を介して情報伝送を行なうことができる。
【００３０】
図２はリモートコントローラ１０の外観を示す図である。リモートコントローラ１０は、主として、タッチパッド１０ａ、タッチパッド１０ａの中心に決定キー１０ｂ、タッチパッド１０ａの上側に上方向移動キー１０ｃ、タッチパッド１０ａの下側に下方向移動キー１０ｄ、タッチパッド１０ａの左側に左方向移動キー１０ｅ、タッチパッド１０ａの右側に右方向移動キー１０ｆ、ＥＰＧキー１０ｇ、タイムシフトキー１０ｈが設けられている。
【００３１】
タッチパッド１０ａ、上方向移動キー１０ｃ、下方向移動キー１０ｄ、左方向移動キー１０ｅ、右方向移動キー１０ｆは、例えば表示器６１に表示されている画面上でカーソル位置を移動するために用いられる。ＥＰＧキー１０ｇは、複数の放送局の現在及び未来の数時間分の番組表を表示するために用いられる。タイムシフトキー１０ｈは、内蔵ＨＤＤ４６に保存されているコンテンツの番組表（以降、過去番組表と称す）を表示するために用いられる。
【００３２】
次に、本実施形態に係る放送受信装置１におけるマルチチャンネル同時自動録画機能について説明する。第１の録画用地上デジタル放送チューナ１９から第８の録画用地上デジタル放送チューナ３３それぞれは、ユーザがリモートコントローラ１０を用いて指定したチャンネルに対応するサービスＩＤ（チャンネル）の放送信号を常に選局するように制御モジュール４２によって設定されている。第１の録画用地上デジタル放送チューナ１９から第８の録画用地上デジタル放送チューナ３３それぞれに設定するチャンネルは、ユーザがリモートコントローラ１０を用いて任意に設定、変更できる。
【００３３】
制御モジュール４２は、第１の録画用地上デジタル放送チューナ１９から第８の録画用地上デジタル放送チューナ３３のうちチャンネルが設定されているものを起動し、内蔵ＨＤＤ４６に複数のチャンネルのコンテンツを自動録画する。ここで内蔵ＨＤＤ４６の容量が一杯になった場合は、制御モジュール４２は、内蔵ＨＤＤ４６に保存されているコンテンツを古い順に自動削除すると共に、内蔵ＨＤＤ４６に複数のチャンネルのコンテンツを新たに自動録画する。制御モジュール４２は、コンテンツの自動録画と自動削除を並行して実行する。この動作をマルチチャンネル同時自動録画という。制御モジュール４２は、予めユーザが設定した曜日および時刻になった場合に、毎週、第１の録画用地上デジタル放送チューナ１９から第８の録画用地上デジタル放送チューナ３３のうちチャンネルが設定されているものを起動し、内蔵ＨＤＤ４６に複数のチャンネルのコンテンツを同時に自動録画するようにしてもよい。
【００３４】
次に、内蔵ＨＤＤ４６に保存されているコンテンツの重要度情報の受信について説明する。本実施形態では、コンテンツの重要度情報として以下に例を示す。コンテンツの重要度情報の第１の例は、視聴率情報である。制御モジュール４２は、任意のタイミングで通信Ｉ／Ｆ４９を介してインターネットから視聴率情報を受信する。制御モジュール４２は、視聴率情報の受信手段として機能する。
【００３５】
視聴率情報は、特定の番組について放送時に統計的にどれだけの視聴者が特定の番組を試聴しているかを示すデータである。視聴率情報は、一般的に広く利用されている情報に基づいたものであっても、当該放送受信装置１のユーザが利用しているＳＮＳ(Social Network Service)における標本空間を代表サンプルとした情報に基づいたものであっても良い。
【００３６】
制御モジュール４２は、過去番組表における番組毎の重要度を視聴率情報に基づいて判断する。一般に、ユーザは、視聴率が高い番組を視聴したい場合が多い。つまり、この視聴率情報に基づく番組の重要度の判定では、視聴率の高い番組が重要度が高いものとして番組の重要度を決定する。
【００３７】
コンテンツの重要度情報の第２の例は、話題性情報である。制御モジュール４２は、任意のタイミングで通信Ｉ／Ｆ４９を介してインターネットから話題性情報を受信する。制御モジュール４２は、話題性情報の受信手段として機能する。話題性情報は、インターネット上で、特定の番組がどれほど話題になっているかを示すデータである。例えば、話題性情報は、特定の番組に対する感想や、意見、質問などのインターネット上のウェブページに書き込まれた番組に対するあらゆるテキスト文字データを含む。さらに話題性情報は、番組の放送中にユーザが話題にしたものと番組の放送後にユーザが話題にしたものを含む。
【００３８】
制御モジュール４２は、インターネット上のアプリケーションを利用して任意のタイミングで話題性情報を受信する。図３は、標本空間種別の例を示す図である。標本空間は、例えば、一般に広く利用されている検索エンジンであっても、当該放送受信装置１のユーザが利用している特定のＳＮＳであっても良い。例えば、制御モジュール４２は、ある標本空間内から受信した話題性情報の件数（書き込み件数）が所定件数以上であれば、話題性のある番組と判断すればよい。制御モジュール４２は、話題性情報の件数を判断する閾を複数段階有し、話題性のランクを複数段階に分けて判断するようにしてもよい。
【００３９】
ユーザは、リモートコントローラ１０を用いて任意の標本空間種別を嗜好に合わせて適切に選択できる。ユーザは、複数の標本空間を同時に選択することもできる。制御モジュール４２は、選択された標本空間から話題性情報を抽出する。制御モジュール４２は、過去番組表における番組毎の重要度を話題性情報に基づいて判断することもできる。話題性情報に基づく番組の重要度の判定では、ユーザがインターネット上で書き込みが多い番組が重要度が高いものとして番組の重要度を決定する。
【００４０】
コンテンツの重要度情報の第３の例は、ユーザによる放送受信装置１の利用時間に基づく情報である。制御モジュール４２は、ユーザが放送受信装置１で視聴を開始した時刻（電源ＯＮした時刻）、視聴を終了した時刻（電源をＯＦＦした時刻）を含む電源オン／オフ情報、及びユーザが選択して視聴したチャンネルの選択情報を不揮発性メモリ４５に記憶させる不揮発性メモリ４５は装置利用時間の記憶手段として機能する。制御モジュール４２は、リモートコントローラ１０または操作モジュール６３によるユーザによる電源ＯＮ／ＯＦＦ、視聴するチャンネルの入力に基づいて、これらの情報を受信できる。制御モジュール４２は、利用時間に基づく情報の受信手段として機能する。
【００４１】
図４は、不揮発性メモリ４５に記憶されている当該放送受信装置１の利用時間テーブルを示す図である。不揮発性メモリ４５は、ユーザ毎に利用時間テーブルを記憶する。制御モジュール４２は、例えば、電源ＯＮ入力時に、ユーザ毎に設定されているパスワードの入力によるログインの要求を表示器６１に表示する。制御モジュール４２は、ユーザがリモートコントローラ１０または操作モジュール６３を用いて入力したパスワードに基づいて、当該放送受信装置１で視聴中のユーザが誰なのかを特定する。したがって、制御モジュール４２は、ユーザ毎の利用時間テーブルを不揮発性メモリ４５に記憶させることができる。
【００４２】
制御モジュール４２は、過去番組表における番組毎の重要度を利用時間テーブルに基づいて判断する。通常、ユーザがリアルタイムに試聴していた番組は、ユーザが一度視聴した番組であるため、未だ視聴していない番組に比べて重要度が低いことが多い。つまり、当該放送受信装置１の利用時間情報に基づく番組の重要度の判定では、リアルタイムに試聴していないチャンネルまたは時間帯の番組は重要度が高いものとして番組の重要度を決定する。
【００４３】
次に、重要度情報に基づいた過去番組表における番組欄毎の表示形式について説明する。図５は、本実施形態に係る表示形式マッピングテーブルの一例を示す図である。表示形式マッピングテーブルは、ユーザがリモートコントローラ１０または操作モジュール６３を用いて任意に設定できる。表示形式マッピングテーブルは、不揮発性メモリ４５に記憶されている。表示形式マッピングテーブルには、視聴率情報、話題情報、利用時間情報それぞれに基づいて番組欄の表示形式が設定されている。表示形式は、番組欄の背景色、フォント、背景模様、立体表示（３Ｄ表示の有無）、大きさ（番組欄の面積）を１または２以上の任意の組み合わせで変更できる。なお、表示形式はこれらに限定されない。
【００４４】
例えば、視聴率情報に関しては、視聴率の高低（例えば２０％以上または未満）に応じた表示形式が表示形式マッピングテーブルに２通り設定されている。視聴率が高い番組の表示形式は、視聴率が低い番組の表示形式に比べてユーザの注意を引くものである。例えば、視聴率が高い番組の番組欄は、視聴率が低い番組の番組欄に比べて、色が濃く、大きさも大きく過去番組表上に表示される。
【００４５】
話題性情報に関しては、話題性情報が受信される標本空間に応じた表示形式が表示形式マッピングテーブルに２通り設定されている。一般に広く利用されている検索エンジンで話題となっている番組の表示形式は、特定のＳＮＳで話題となっている番組の表示形式と異なる。
【００４６】
利用時間情報に関しては、電源のＯＮ／ＯＦＦつまりユーザがリアルタイムで番組を視聴したか否かに応じた表示形式が表示形式マッピングテーブルに２通り設定されている。ユーザがリアルタイムで視聴していない番組の表示形式は、ユーザがリアルタイムに視聴した番組の表示形式に比べてユーザの注意を引くものである。例えば、ユーザがリアルタイムで視聴している番組の番組欄は、ユーザがリアルタイムに視聴していない番組の番組欄に比べて、暗い色で過去番組表上に表示される。
【００４７】
次に、番組欄の表示形式を変更した過去番組表の表示について説明する。ユーザがリモートコントローラ１０のタイムシフトキー１０ｈを押下すると、制御モジュール４２は、表示器６１に過去番組表を表示するように制御する。過去番組表は、横軸に放送局、縦軸に時刻を表示したマトリクス状に番組欄を表示したものである。制御モジュール４２は、不揮発性メモリ４５に記憶されている現在日時よりも過去の番組情報（番組関連情報）を読み出し、過去番組表を作成する。制御モジュール４２は、番組関連情報の受信手段として機能する。また、制御モジュール４２は、過去番組表の作成手段として機能する。
【００４８】
制御モジュール４２は、現在日時から内蔵ＨＤＤ４６に保存されているコンテンツのうち最も記録日時が古いコンテンツの日時まで遡った期間の過去番組表を作成する。制御モジュール４２は、必ずしも全チャンネルかつ全番組の番組欄で構成される過去番組表を作成する必要はない。また、制御モジュール４２の作成する過去番組表は、例えばユーザが時間指定等を行なった等の場合、必ずしも保存されているコンテンツのうち最も記録日時が古いコンテンツを含む期間の過去番組表でなくてもよい。つまり、制御モジュール４２は、当該期間において内蔵ＨＤＤ４６に保存されているコンテンツの番組欄を過去番組表上で表示し、内蔵ＨＤＤ４６に保存されていないコンテンツの番組欄を過去番組表上で非表示としてもよい。
【００４９】
次に、制御モジュール４２は、視聴率情報、話題性情報、利用時間情報のうち、ユーザが選択した情報に対応する表示形式を表示形式マッピングテーブルから抽出する。制御モジュール４２は、過去番組表に表示される各番組欄を重要度情報と照合して、この重要度と対応する表示形式で表示する。制御モジュール４２は、任意の重要度情報に対応する所望の表示形式で各番組欄をマッピングする。つまり、制御モジュール４２は、番組欄表示形式の番組表の画像を作成し、異なる重要度のコンテンツの番組欄の表示形式を異ならせて番組表の画像を作成する。その後、制御モジュール４２は、番組欄を所望の表示形式にマッピングした番組欄で構成される過去番組表の画像を表示器６１に表示するように制御する。制御モジュール４２は、過去番組表の画像を出力する出力手段として機能する。
【００５０】
図６は、表示器６１に表示される過去番組表の一例を示す画面図である。過去番組表には、話題性情報に基づく重要度の高い番組として背景色が施され、表示枠が大きい番組欄、視聴率情報に基づく重要度の高い番組として話題性情報に基づくものとは異なる背景色が施され、表示枠が大きい番組欄、利用時間情報に基づく重要度の低い番組として背景色の暗い番組欄が混在している。つまり、過去番組表では、重要度が高い番組であっても、異なる基準で設定された重要度情報（視聴率情報、話題性情報、利用時間情報）に基づいて重要と判断された番組毎に表示形式は異なる。したがって、ユーザは、様々な表示形式で表示された番組欄のうち、所望の重要度情報に基づく表示形式で表示された番組欄に注視することで、容易に所望の番組を見つけ出せる。
【００５１】
なお、視聴率情報、話題性情報、利用時間情報のうち少なくとも２つの条件に該当する番組欄は、制御モジュール４２が図５に示す表示形式マッピングテーブルに設定されているそれぞれの情報に基づく表示形式を組み合わせてもよい。また、視聴率情報、話題情報、利用時間情報のうち少なくとも２つの条件に該当する番組欄の表示形式を表示形式マッピングテーブルにユーザが予め設定するようにしてもよい。さらに、本実施形態は、視聴率情報、話題性情報及び利用時間情報に基づいて、過去番組表上の番組欄の表示形式を設定しているが、番組欄に対応するコンテンツが再生済みか否かに基づく情報応じて表示形式を変更してもよい。
【００５２】
ユーザは、過去番組表から、内蔵ＨＤＤ４６に保存されているコンテンツのうち、重要度情報それぞれにおける重要度の高いコンテンツを容易に認識できる。ユーザは、リモートコントローラ１０を用いて、表示器６１に表示されている過去番組表上でカーソルを移動し所望のコンテンツに対応する番組欄を選択できる。制御モジュール４２は、過去番組表上で選択された番組欄に対応するコンテンツを再生/停止/削除/コピー/移動など制御できる。
【００５３】
本実施形態によれば、ユーザに馴染みの深いラテ欄形式の過去番組表に、各番組の話題性や有用性などに応じて、過去番組表と整合成の良い表示形式を取り込んでいる。したがって、ユーザは、過去番組表から容易に興味のある番組を見つけ出して再生することが可能である。また、過去番組表と整合性のよい表示形式として表示するため、過去番組表自体の美観を損なうことがない。さらに、ユーザは、重要度情報を任意に選択できるため、ユーザ毎の個別の過去番組表を作成できる。そのため、ユーザは、重要度情報に対応する番組欄を個々の嗜好に基づいた表示形式にマッピングすることができる。本実施形態によれば、過去番組表の利便性は向上する。
【００５４】
本実施形態は、過去番組表における番組欄を任意の重要度情報に対応する所望の表示形式でマッピングしているが、現在及び未来の番組表についても同様に適用できる。この場合、例えば、重要度情報としては、現在または将来の番組に対しての話題性情報を用いればよい。
【００５５】
なお、本実施形態は、放送受信装置１を用いて説明したが、これに限られない。例えば、ハードディスクレコーダであってもよい。さらに、本実施形態は、録画コンテンツを別体の記憶装置に保存し、その録画コンテンツに基づいて過去番組表を作成するいかなる装置にも適用できる。
【００５６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００５７】
１…デジタルテレビジョン放送受信装置、１０…リモートコントローラ、１９…第１の録画用地上デジタル放送チューナ、２１…第２の録画用地上デジタル放送チューナ、２３…第３の録画用地上デジタル放送チューナ、２５…第４の録画用地上デジタル放送チューナ、２７…第５の録画用地上デジタル放送チューナ、２９…第６の録画用地上デジタル放送チューナ、３１…第７の録画用地上デジタル放送チューナ、３３…第８の録画用地上デジタル放送チューナ、４２…制御モジュール、４６…内蔵ＨＤＤ、４９…通信Ｉ／Ｆ、６１…表示器。
【図１】
0005618633.tif 000002
【図２】
0005618633.tif 000003
【図３】
0005618633.tif 000004
【図４】
0005618633.tif 000005
【図５】
0005618633.tif 000006
【図６】
0005618633.tif 000007